(57)【特許請求の範囲】
【請求項１】
長尺材の一端を固着し巻付けられたリールに内蔵されたぜんまいばね巻芯により出力調整可能とし該長尺材の他端を扉に固着し前記扉開閉の妨げとならない上壁部に固着される扉用リール装置であって、基板に向合って立設された一対の支持板を有するケースと、前記リールの一方端面に接するウォームホイールをもった回転ホイールと、前記リールを回動可能に軸支し前記回転ホイールの軸芯部に固着され前記支持板に回動可能に支持されるばね軸と、中央部に前記ウォームホイールと噛合うウォームが形成され左右に突設された一対の鍔及び調整部をもったウォーム軸と、前記ケースの上部又は下部空間に向合って装着され前記各調整部を回動可能に支持し前記長尺材が取出し可能なスリットを有する一対のガイドとを備え、前記ばね巻芯と前記ばね軸及び前記ばね外端末と前記リールとが係止され、左右いずれかの前記調整部の外側よりの回動により前記ばね軸を回動し前記ばねの出力調整可能としたことを特徴とする扉用出力調整付リール装置。
【請求項２】
（イ）リールは円筒状の巻付け部と該巻付け部の一方端に回転ホイールの円筒状内面に嵌着可能な外周端から中心に向かって傾斜面をもった一方のフランジと、前記一方のフランジと反対側の他方端に突設された複数の係止突起と、前記巻付け部には係止舌片によって形成された前後２個の係止溝と、前記一方のフランジと略対称形の円周に沿って複数の係止孔が穿設された他方の蓋状フランジとを有し、前記係止孔に前記係止突起を及び係止舌片を圧入して略フランジ付き車輪状に形成され、（ロ）ばねは巻芯が平面状に折曲げた巻芯部と外端末が断面ループ状のループ部とを有し、（ハ）ばね軸は軸芯に平行する方向に刻設されたすり割を有し、
前記ループ部が前記係止溝に及び前記巻芯部が前記すり割に係止されていることを特徴とする請求項１に記載の扉用出力調整付リール装置。
【請求項３】
（ニ）支持板の略中央部に丸孔が、回転ホイールの中心部に異形孔が、一方及び他方のフランジの内面中心部に丸孔がそれぞれ穿設され、（ホ）ばね軸は軸状体で中央部の基部と、前記基部より小径で一方に連設された前記回転ホイールの異形孔に嵌着可能な異形部と前記一方のフランジの丸孔に回動可能な円形部とよりなる異形部先端部と、前記基部より小径で他方に連設された前記他方のフランジの丸孔と回動可能な円形先端部とを有することを特徴とする請求項１又は２に記載の扉用出力調整付リール装置。
【請求項４】
ガイドは、対称形の一対のブロック状の本体がケースの基板と支持板の下部左右位置に囲まれた空間に向合って装着され、前記本体が向合う側に下がり勾配の傾斜面及び中抜きを有し、前記本体の左右側面には水平方向に長尺材がリールより巻回又は解舒の際に取出し可能な大きさのスリットと、ウォーム軸の調整部を挿着して回動可能な調整孔が穿設されていることを特徴とする請求項１〜３のいずれかに記載の扉用出力調整付リール装置。
【発明の詳細な説明】
【０００１】
【発明の属する技術分野】
本発明は、レールに沿って移動する引戸の扉開閉に用いられ、開放は手動で、閉鎖は自動的に作動することのできる出力調整付リール装置の改良に関する。
【０００２】
【従来の技術】
移動可能な引戸の扉に連結されたワイヤー等をぜんまいが内蔵されたリールに巻回することにより、該ぜんまいからワイヤーを通して扉を引張って閉鎖可能とした例えば特開平１１−２４１５５８号公報記載の扉用出力調整付リール装置（以下、単に調整付リール装置と略称する。本公報では出力調整式ゼンマイユニットとされている）がある。この調整付リール装置においては、リールの軸を回転しうる大型のカム板と指作動爪によってカムの位置を変化させてぜんまいの出力を調整している。
【０００３】
【発明が解決しようとする課題】
前記従来の装置では、ぜんまいの出力調整の操作は扉に向かって前側から行うために、扉の閉鎖方向が左勝手か右勝手かによって別々のものを準備しなければならず、施工現場における仕様条件が変わったとき柔軟に対応できない。
本発明は、構造が簡単で作動が簡易確実で、扉の閉鎖方向の条件が左勝手、右勝手のいずれであっても同じもので柔軟に対応可能な調整付リール装置を得ることを目的とする。
【０００４】
【課題を解決するための手段】
前記目的を達成するために、請求項１の発明にあっては、長尺材の一端を固着し巻付けられたリールに内蔵されたぜんまいばね巻芯により出力調整可能とし該長尺材の他端を扉に固着し前記扉開閉の妨げとならない上壁部に固着される扉用リール装置であって、基板に向合って立設された一対の支持板を有するケースと、前記リールの一方端面に接するウォームホイールをもった回転ホイールと、前記リールを回動可能に軸支し前記回転ホイールの軸芯部に固着され前記支持板に回動可能に支持されるばね軸と、中央部に前記ウォームホイールと噛合うウォームが形成され左右に突設された一対の鍔及び調整部をもったウォーム軸と、前記ケースの上部又は下部空間に向合って装着され前記各調整部を回動可能に支持し前記長尺材が取出し可能なスリットを有する一対のガイドとを備え、前記ばね巻芯と前記ばね軸及び前記ばね外端末と前記リールとが係止され、左右いずれかの前記調整部の外側よりの回動により前記ばね軸を回動し前記ばねの出力調整可能とした扉用出力調整付リール装置により解決した。
請求項２の発明にあっては、（イ）リールは円筒状の巻付け部と該巻付け部の一方端に回転ホイールの円筒状内面に嵌着可能な外周端から中心に向かって傾斜面をもった一方のフランジと、前記一方のフランジと反対側の他方端に突設された複数の係止突起と、前記巻付け部には係止舌片によって形成された前後２個の係止溝と、前記一方のフランジと略対称形の円周に沿って複数の係止孔が穿設された他方の蓋状フランジとを有し、前記係止孔に前記係止突起を及び係止舌片を圧入して略フランジ付き車輪状に形成され、（ロ）ばねは巻芯が平面状に折曲げた巻芯部と外端末が断面ループ状のループ部とを有し、（ハ）ばね軸は軸芯に平行する方向に刻設されたすり割を有し、
前記ループ部が前記係止溝に及び前記巻芯部が前記すり割に係止されている請求項１に記載の扉用出力調整付リール装置とすることができる。
請求項３の発明にあっては、（ニ）支持板の略中央部に丸孔が、回転ホイールの中心部に異形孔が、一方及び他方のフランジの内面中心部に丸孔がそれぞれ穿設され、（ホ）ばね軸は軸状体で中央部の基部と、前記基部より小径で一方に連設された前記回転ホイールの異形孔に嵌着可能な異形部と前記一方のフランジの丸孔に回動可能な円形部とよりなる異形部先端部と、前記基部より小径で他方に連設された前記他方のフランジの丸孔と回動可能な円形先端部とを有する請求項１又は２に記載の扉用出力調整付リール装置とすることができる。
請求項４の発明にあっては、ガイドは、対称形の一対のブロック状の本体がケースの基板と支持板の下部左右位置に囲まれた空間に向合って装着され、前記本体が向合う側に下がり勾配の傾斜面及び中抜きを有し、前記本体の左右側面には水平方向に長尺材がリールより巻回又は解舒の際に取出し可能な大きさのスリットと、ウォーム軸の調整部を挿着して回動可能な調整孔が穿設されている請求項１〜３のいずれかに記載の扉用出力調整付リール装置とすることができる。
【０００５】
【発明の実施の形態】
本発明の実施の形態を図面に基づき以下詳細に説明する。
以下の説明において、扉を正面よりみた方を前又は表側とし反対側を後又は裏側とし、各構成の位置方向は扉への装着状態において説明する。図３においては、扉１０の移動方向を前側から後側に向かって見て扉閉鎖方向Ｃを右側又は扉開放方向Ｏを左側としている。又同様な構成については、符号記載及び詳細説明を一部省略してある。
図１は、本発明の調整付リール装置の一例で、左側及び右側より視た斜視図である。
図２は、図１の調整付リール装置の各構成要素の分解斜視図及びばね軸の各図である。
図３は、図１の調整付リール装置と扉との相関関係を示す概略斜視図である。
図４は、図１の調整付リール装置のガイドの各図である。
図５は、図１の調整付リール装置のリール及びその部分拡大図である。
本発明の調整付リール装置１は、ケース２、回転ホイール３、ウォーム軸４、ガイド５、リール６、ばね７、ばね軸８及び長尺材９とを備えている。ここで、ケース２、回転ホイール３、ウォーム軸４、ガイド５、リール６は金属又は硬質プラスチック材を、ばね７はばね材を、ばね軸８は金属材をそれぞれ通常用いている。
先ず図１、２、４、５を参照して本発明の調整付リール装置１の各構成要素を説明する。
ケース２は、略長方形板状の基板２１と、基板２１の長手辺に沿って平行に向合って立設された一対の略逆Ｕ字形の支持板２２と、後述するガイド５を固定する四個のビス等の固着具２３とを有し、基板２１には設置場所周辺の上壁部等に固着するためにボルト等の固着具を貫通可能な丸孔２１ａが通常略四隅に穿設され、各支持板２２の中心より僅かに上方寄り左右略中央部にはばね軸８を回動可能に軸支する丸孔２２ａと下方左右端部にはそれぞれ固着具２３が挿着可能な丸孔２２ｂとが穿設されている。
回転ホイール３は、円形板状の底面部３３と円形リング状の周面部３２により円筒状に形成され、周面部３２の外周面に歯形をもったウォームホイール３１が形成され、底面部３３の中心位置に後述するばね軸８の異形部８２ｂが嵌着可能な断面円形を一部切欠いた形状の異形孔３３ａが穿設されている。
ウォーム軸４は、左右長手方向の軸状体で中央部にウォーム４１が形成され、ウォーム４１の左右の通常対称位置に一対の鍔４２が突設され、鍔４２の左右の通常対称位置に後述するガイド５の調整孔５２ｂに回動可能に支持され先端にドライバー等が挿着可能な例えば十字溝４３ａをもった円柱状の調整部４３が連設され、組立時においてはウォーム４１とウォームホイール３１とは回転軸が直交して噛合ってウォームギアを構成している。ここで、ウォームギアはウォーム４１側からのみ作動可能のセルフロックであることが必要であり、減速比は余り大きくない方がリールの出力調整作業上からは好ましい。
ガイド５は、対称形の一対のブロック状の本体５１、５２よりなり、ケース２の基板２１と一対の支持板２２の下部左右位置に囲まれた空間に向合って装着され、向合う側に下がり勾配の傾斜面５１ａ、５２ａ及び中抜き５１ｅ、５２ｅを有している。本体５１、５２の左右側面には、上側中央部やや一方寄り水平方向に後述する長尺材９がリール６より巻回又は解舒の際に円滑に取出し可能な大きさのスリット５１ｃ、５２ｃと、下側の他方端部にウォーム軸４の各調整部４３を挿着して回動可能な調整孔５１ｂ、５２ｂが穿設されている。一方、本体５１、５２の各前後側面には固着具２３が螺入可能な孔５１ｄ、５２ｄがそれぞれ一対づつ穿設されている。図４は本体５１を図２と対比可能な向きで示してあり、本体５２は本体５１と前後左右が対称形である点が異なるのみであり同様の図示は省略する。
【０００６】
リール６は、長尺材９を巻付ける円筒状の巻付け部６２と、巻付け部６２の一方端に回転ホイール３の周面部３２の円筒状内面に嵌着可能な直径の外周端から中心に向かって傾斜面をもった一方のフランジ６１と、巻付け部６２のフランジ６１と反対側の他方端に円周沿って複数通常三箇所に僅かに突設された係止突起６３とを有し、中央の係止突起６３の巻付け部６２対応位置に他方端から一方端前後に向かって係止舌片６４が設けられている。係止舌片６４は、巻付け部６２との間に後述するばね７外端末のループ部７３が係止可能で係止突起６３と同様の円周方向間隔をおいて前後２個の係止溝６４ａが形成され他方端が係止突起６３と同様に僅かに突出し、三箇所の係止突起６３と合わせて四箇所の前端が巻付け部６２の円周に沿って通常略等間隔に配設されている。ここで、係止突起６３及び係止舌片６４の円周方向端部間の中心角はαに揃えてある。フランジ６１の円板状の内面中心部に後述するばね軸８の異形先端部８２の円形部８２ａが回動可能な丸孔６１ａが穿設されている。又フランジ６１の周面例えば係止突起６３の後側一箇所に接線方向に刳られた座６１ｂとその略中央部に長尺材９が係止可能な大きさで周方向に穿設された通し孔６１ｄを有するブロック状のストッパー６１ｃが設けられている。ストッパー６１ｃは、リール６と長尺材９端末との簡易な固着のために設けられているが、これに限らず長尺材９の一端末をリング状に形成してボルト等の固着具によって固着することとしてもよい。
一方のフランジ６１と略対称形の外周端から中心に向かって傾斜面をもった他方の蓋状のフランジ６５があり、円板状の内面中心部には後述するばね軸８の円形先端部８１が回動可能な丸孔６５ａと係止突起６３及び係止舌片６４を圧入して係止可能な大きさ及び円周に沿って通常略等間隔の位置に略方形の四個の係止孔６５ｂが穿設されている。フランジ６５とフランジ６１とは対称位置にあるようにおかれて係止突起６３及び係止舌片６４の突起をそれぞれ係止孔６５ｂに圧入して組立てて使用される。ここで係止突起６３及び係止舌片６４並びに係止孔６５ｂは必ずしもそれぞれ円周に沿って略等間隔でなくてもよいが、等間隔とした方が工作上、使用上からは好ましい。又係止突起６３及び係止舌片６４は合わせて四個としているが、少なくとも３個であってもよいが、バランス上からは四個であるのが好ましい。
ばね７は、薄板状のばね材を渦巻状に巻いたぜんまい７１と、ぜんまい７１巻回中心部の巻芯を平面状に折曲げた巻芯部７２と、ぜんまい７１の外端末に係止溝６４ａに係止可能な断面ループ状のループ部７３とを有している。
ばね軸８は、図２（ａ）、（ｂ）、（ｃ）を参照して、前後長手方向の軸状体で中央部の基部８１と、基部８１より小径で一方（本例では後側）に連設された回転ホイール３の異形孔３３ａと嵌着可能な断面円形を一部切欠いた形状の異形部８２ｂとフランジ６１の丸孔６１ａに回動可能な円形部８２ａよりなる異形先端部８２と、基部８１より小径で他方（本例では前側）に連設されたフランジ６５の丸孔６５ａと回動可能な円形先端部８３とを有し、ばね７の巻芯部７２が係止可能な軸芯に平行する方向にすり割８１ａが刻設されている。
長尺材９は、長尺の金属製のワイヤー、鋼線又は繊維を撚合わせたロープ等であるが、耐久性、強度等の面からは、通常金属製のワイヤー、鋼線のロープが好ましい。長尺材９の一端はリール６のストッパー６１ｃの通し孔６１ｄに挿通し例えば筒状の金属製ロック材を嵌着しかしめることによりリール６と固着され、他端は例えば図３に示すように、扉１０の縁部に固着されたアーム１１を介して又は扉１０の縁部に直接端末が固着される。
【０００７】
次に、図１〜３を参照して調整付リール装置１の組立てについて説明する。
ばね７のループ部７３を係止溝６４に及び巻芯部７２をばね軸８のすり割８１ａにそれぞれ係止せしめ、ばね軸８の基部８１は円形部８２ａを丸孔６１ａに嵌着して異形部８２ｂの先端を後側に突出状態とし、リール６は一端を通し孔６１ｄに通しストッパー６１ｃに固着された長尺材９を巻付け部６２に巻付けた後回転ホイール３の周面部３２及び底面部３３に当接せしめてフランジ６１を嵌着し、突出している異形部８２ｂを異形孔３３ａに嵌着し、蓋状のフランジ６５をばね軸８の円形先端部８３を丸孔６５ａと嵌着し係止突起６３及び係止舌片６４を係止孔６５ｂにそれぞれ合わせて嵌着して組立て、異形部８２ｂ及び円形先端部８３の先端は僅かに前後に突出状態におかれている。
このとき、フランジ６１、巻付け部６２及びフランジ６５によって、リール６は略フランジ付き車輪状又は糸巻き状の形状に形成され、巻付け部６２の外周面に長尺材９を巻回した状態で、ケース２の一対の支持板２２を僅かに広げて前記したこれまで組立てたリール回りの一式を圧入し、僅かに突出している異形部８２ｂ及び円形先端部８３を支持板２２の両孔２２ａに挿着すると、支持板２２の僅かな広がりは弾力で元の位置に復元し、ばね軸８は孔２２ａの回りに回動可能状態におかれる。そこで、ウォーム軸４のウォーム４１とウォームホイール３１とを回転軸が直交するように噛合わせて、ガイド５の一対の本体５１、５２に穿設されている調整孔５１ｂ、５２ｂに対し各十字溝４３ａが左右外側にあるようして左右の調整部４３を挿通し、スリット５１ｃ、５２ｃが上方水平位置にあるようにし一方の本例ではスリット５１ｃに長尺材９のフリー端末側を貫通せしめた状態におき各孔２２ｂ、５１ｄ及び５２ｄに固着具２３を挿着螺合して、図１に示す通り調整付リール装置１の組立てが完了する。
扉１０に装着する場合には、図１、３の例では扉１０の縁部に固着されたアーム１１を介して長尺材９の端末を固着し、その他の調整付リール装置１は扉閉鎖端末側の扉１０の閉鎖時の妨げとならない位置に固着される。長尺材９の端末と扉１０との固着は扉１０縁部に直接固着してもよい。
【０００８】
次に、図１、３を参照して調整付リール装置１の作動について説明する。
図１は、調整付リール装置１のそれぞれ（ａ）左側及び（ｂ）右側より視た斜視図であって、図３に示すように扉閉鎖方向Ｃを右側又は扉開放方向Ｏを左側とした場合の例である。
巻付け部６２の外周面に巻回された長尺材９はスリット５１ｃを貫通して端末が扉１０の縁部に固着されたアーム１１に固着されている。ここでループ部７３が係止溝６４ａに及び巻芯部７２がばね軸８のすり割８１ａにそれぞれ係止しているばね７のぜんまい７１によってリール６が付勢され、長尺材９には常時矢印Ｚ方向に向かって引張り力が作用している。このため扉１０は、閉鎖時はばね７の引張り力によっ自動的に閉鎖ができ、開放時にはばね７の引張り力に抗して手動で容易に開放が行える。
この引張り力である出力を施工現場において調整する場合には、通常図１（ｂ）に示すように右側にある調整孔５２ｂにある十字溝４３ａに例えばドライバー等の工具を挿入しでウォーム軸４を例えば矢印Ｘ方向に回動するとこれと噛合うウォームホイール３１を含む回転ホイール３が矢印Ｙ方向に回動し、異形孔３３ａからばね軸８の異形部８２ｂ及びすり割８１ａを介して巻芯部７２を矢印Ｙ方向に回動しその結果ばね７による長尺材９の矢印Ｚ方向の引張り力は増加するように作用する。逆にウォーム軸４を矢印Ｘの逆方向に回動すると、回転ホイール３が矢印Ｙの逆方向に回動し、長尺材９の矢印Ｚ方向の引張り力は減少するように作用する。ここで、右側にある調整孔５２ｂのウォーム軸４を調整作業中においては、同時に図１（ａ）に示すように左側にある調整孔５１ｂにあるウォーム軸４も矢印Ｘに示す方向に回動しウォームホイール３１を含む回転ホイール３が矢印Ｙ方向に回動する。
図１、３の例では、扉１０の閉鎖方向が右勝手の場合であるが、左勝手の場合には、同じ調整付リール装置１を左右入替えて用いればよく、その場合には左側にある調整孔の十字溝４３ａからウォーム軸４を調整すればよい。したがって扉１０の閉鎖方向が左勝手か右勝手かによって別々のものを準備する必要がなく、同じものを準備すれば施工現場における仕様条件が変わったときでも柔軟に対応して出力調整ができる。
【０００９】
前記した調整付リール装置１の変形例について説明する。
ガイド５はケース２の基板２１と支持板２２の下部左右位置に囲まれた空間に向合って装着され、本体５１、５２にウォーム軸４の各調整部４３を挿着し、ウォーム軸４はウォームホイール３１の下部と噛合わされている。この変形例として図示省略するが、ウォーム軸をウォームホイールの上部と噛合わせ、ガイドをリール及び回転ホイールの回転の妨げにならない形状として支持板上方まで延ばしてウォーム軸４の各調整部をガイドの上方左右から調整可能とする構造としてもよい。このときの支持板の形状は、支持板２２の略Ｕ字形と異なり方形とされる。
ウォームホイール３１は、リール６のフランジ６１より大きな直径とされているがこれに限定されず、フランジより小さい直径としてリールの一方端面に接するように配設してもよい。
ウォーム軸４は、水平方向にして組立てられているが、これは厳密に水平方向とする必要はなく、多少左右傾斜していてもよいが、ガイド５との関係から及び操作性からは水平とするのが好ましい。
以上の変形例の作動は、前記調整付リール装置１と同様であり、詳細説明を省略する。
【００１０】
【発明の効果】
本願発明の扉用出力調整付リール装置によれば、構造が簡単で作動が簡易確実で、扉の閉鎖方向の条件が左勝手、右勝手のいずれであっても同じものを準備すればよく施工現場に柔軟に対応して出力調整ができる。
【図面の簡単な説明】
【図１】本発明の調整付リール装置の一例で、（ａ）左側（ｂ）右側より視た斜視図である。
【図２】図１の調整付リール装置の（ａ）各構成要素の分解斜視図、（ｂ）ばね軸の側面図、（ｃ）ばね軸の裏面図である。
【図３】図１の調整付リール装置と扉との相関関係を示す概略斜視図である。
【図４】図１の調整付リール装置のガイドの一方側（ａ）側面図、（ｂ）正面図、（ｃ）背面図である。
【図５】図１の調整付リール装置のリールの（ａ）正面図、（ｂ）平面図、（ｃ）側面図、（ｄ）Ａ・Ａ′部分拡大図、（ｅ）Ｂ部分拡大図、（ｆ）Ｃ部分拡大図である。
【符号の説明】
１  調整付リール装置
２  ケース
２１  基板
２１ａ、２２ａ、２２ｂ、６１ａ、６５ａ  丸孔
２２  支持板
３  回転ホイール
３１  ウォームホイール
３２  周面部
３３  底面部
３３ａ  異形孔
４  ウォーム軸
４１  ウォーム
４２  鍔
４３  調整部
４３ａ  十字溝
５  ガイド
５１、５２  本体
５１ａ、５２ａ  傾斜面
５１ｂ、５２ｂ  調整孔
５１ｃ、５２ｃ  スリット
５１ｅ、５２ｅ  中抜き
６  リール
６１、６５  フランジ
６２  巻付け部
６３  係止突起
６４  係止舌片
６４ａ  係止溝
６５ｂ  係止孔
７  ばね
７１  ぜんまい
７２  巻芯部
７３  ループ部
８  ばね軸
８１  基部
８１ａ  すり割り
８２  異形先端部
８２ａ  円形部
８２ｂ  異形部
８３  円形先端部
９  長尺材
１０  扉
Ｃ  扉閉鎖方向
Ｏ  扉開放方向
【図１】
0003680267.tif 000002
【図２】
0003680267.tif 000003
【図３】
0003680267.tif 000004
【図４】
0003680267.tif 000005
【図５】
0003680267.tif 000006